【手続補正書】
【提出日】令和2年10月27日(2020.10.27)
【手続補正１】
【補正対象書類名】特許請求の範囲
【補正対象項目名】全文
【補正方法】変更
【補正の内容】
【特許請求の範囲】
【請求項１】
Ａ．ａ．ラクタムブラック、ｂ．紫色顔料、ｃ．青色顔料及び／又は緑色顔料、ｄ．カー
ボンブラック、のａ〜ｄを含有する顔料、を含有する黒色顔料分散組成物。
【請求項２】
Ｂ．スルホン酸基を有する顔料分散助剤
Ｃ．顔料分散剤
Ｄ．バインダー樹脂
Ｅ．有機溶剤
を含有する請求項１に記載の黒色顔料分散組成物。
【請求項３】
Ｆ．多官能エポキシ化合物を含有する請求項１又は２に記載の黒色顔料分散組成物。
【請求項４】
ｂ．紫色顔料が、ピグメントバイオレット２３及び／又はピグメントバイオレット２９、
ｃ．青色顔料及び／又は緑色顔料がピグメントブルー１５：３、ピグメントブルー１５：
４、ピグメントブルー１５：６、ピグメントブルー１６、ピグメントブルー６０及びピグ
メントグリーン５４から選ばれる少なくとも１種である請求項１〜３のいずれかに記載の
黒色顔料分散組成物。
【請求項５】
Ｂ．スルホン酸基を有する顔料分散助剤が、下記一般式（１）及び／又は（２）で表され
る分散助剤及び／又はピグメントイエロー１３８のスルホン化物である請求項２〜４のい
ずれかに記載の黒色顔料分散組成物。
【化１】
2019081857.tif 000001
〔式中、Ｘ及びＹは、同一若しくは異なって、Ｆ、Ｃｌ、Ｂｒ、ＮＯ２、ＣＨ３又はＯＣ
Ｈ３で置換されていてもよいフェニル基を表す。Ｍは、Ｈ、Ｎａ、Ｋ、ＮＨ４又はＮＲ１
Ｒ２Ｒ３Ｒ４（Ｒ１、Ｒ２、Ｒ３及びＲ４は、同一若しくは異なって、他の置換基で置換
されていてもよい炭素数１〜１０の飽和若しくは不飽和の脂肪族炭化水素基、又は、他の
置換基で置換されていてもよい炭素数６〜１０の芳香族炭化水素基を表す。）を表す。ｍ
は、１以上の整数を表す。〕
【請求項６】
一般式（１）及び／又は（２）で表される分散助剤のＸが２，５−ジクロロフェニル基で
あり、Ｙがフェニル基である請求項５に記載の黒色顔料分散組成物。
【請求項７】
Ｃ．顔料分散剤が、塩基性基含有アクリル樹脂系分散剤である請求項２〜６のいずれかに記載の黒色顔料分散組成物。
【請求項８】
Ｆ．多官能エポキシ化合物が、ジフェニルメタン骨格、ジナフチルメタン骨格、トリアジン骨格、フェノールノボラック骨格、テトラフェニルエタン骨格、ビスフェノール骨格及び、ビフェニル骨格から選ばれる少なくとも１種の骨格を有する多官能エポキシ化合物である請求項３〜７のいずれかに記載の黒色顔料分散組成物。
【請求項９】
Ｄ．バインダー樹脂が、アルカリ可溶性樹脂を含有する請求項２〜８のいずれかに記載の黒色顔料分散組成物。
【請求項１０】
請求項１〜９のいずれかに記載の黒色顔料分散組成物と、アルカリ可溶性樹脂と、光重合性化合物と、光重合開始剤を含有する黒色顔料分散レジスト組成物。
【請求項１１】
黒色顔料分散レジスト組成物の７５０ｎｍの赤外透過率が２５％以上、９００ｎｍの赤外透過率が４５％以上、であることを特徴とする請求項１０に記載の黒色顔料分散レジスト組成物。
【請求項１２】
黒色顔料分散レジスト組成物の７５０ｎｍの赤外透過率が３０％以上、９００ｎｍの赤外透過率が５５％以上、であることを特徴とする請求項１０又は１１に記載の黒色顔料分散レジスト組成物。
【手続補正２】
【補正対象書類名】明細書
【補正対象項目名】０００１
【補正方法】変更
【補正の内容】
【０００１】
本発明は、液晶表示素子（液晶パネルのブラックマトリックス、着色スペーサー、有機
ＥＬ表示装置の遮光部の形成）、固体撮像素子（CCD、CMOSに代表される撮像素子（イメ
ージセンサー））、赤外線センサーに使用される赤外透過(IR-Pass)分散液等に使用され
る、分散性に優れ、ＯＤ値、表面抵抗値、及び赤外透過率がより高く、遮光性が良好な黒
色顔料分散組成物及びそれを含有する黒色顔料分散レジスト組成物に関する。
【手続補正３】
【補正対象書類名】明細書
【補正対象項目名】００２１
【補正方法】変更
【補正の内容】
【００２１】
１１．
黒色顔料分散レジスト組成物（レジスト組成物中の顔料濃度が３５質量％の時）の７５０
ｎｍの赤外透過率が２５％以上、９００ｎｍの赤外透過率が４５％以上、であることを特
徴とする１０に記載の黒色顔料分散レジスト組成物。
【手続補正４】
【補正対象書類名】明細書
【補正対象項目名】００２４
【補正方法】変更
【補正の内容】
【００２４】
以下、本発明の黒色顔料分散組成物及びそれを含有する黒色顔料分散レジスト組成物に
ついて、詳細に説明する。
[黒色顔料分散組成物]
まず、本発明の黒色顔料分散組成物について説明する。
黒色顔料分散組成物は、特定の顔料及びカーボンブラックを含有することを基本とする
。加えて、顔料分散剤、スルホン酸基を有する顔料分散助剤、バインダー樹脂、有機溶剤
を含有してなる組成物、好ましくは、特定の顔料、カーボンブラック、顔料分散剤、スル
ホン酸基を有する顔料分散助剤、バインダー樹脂、多官能エポキシ化合物、有機溶剤を含
有してなる組成物であり、この組成物を基にして黒色顔料分散組成物を得るものである。
【手続補正５】
【補正対象書類名】明細書
【補正対象項目名】００５４
【補正方法】変更
【補正の内容】
【００５４】
＜顔料分散助剤（スルホン酸基を有する顔料分散助剤）＞
（顔料分散助剤１）
１００ｍｌ三角フラスコに濃硫酸を３０ｍｌ仕込み、マグネチックスターラーで攪拌し
ながらピグメントレッド２（上記式（３）及び／又は（４）で表される化合物）を１０ｇ
投入し、室温で３０分攪拌した。１Ｌビーカーに水５０ｇと氷５０ｇの混合物を入れ、上
記の反応物をこの氷水中に注ぎ、マグネチックスターラーで３０分攪拌した。これを減圧
下で濾過・水洗し、得られた固体を乾燥させて、目的物（上記一般式（３１）及び／又は
（３２）で表される化合物：Ｍ＝Ｈ）１２ｇを得た。
（顔料分散助剤２）
１００ｍｌ三角フラスコに濃硫酸を３０ｍｌ仕込み、マグネチックスターラーで撹拌し
ながらＣ．Ｉ．ピグメントイエロー１３８を１０ｇ投入し、室温で３０分撹拌した。１Ｌ
ビーカーに水５０ｇと氷５０ｇの混合物を入れ、上記反応物をこの氷水中に注ぎ、マグネ
チックスターラーで３０分撹拌した。これを減圧下で濾過・水洗し、得られた固体を乾燥
させて目的物ピグメントイエロー１３８のスルホン化物を１２ｇ得た。
【手続補正６】
【補正対象書類名】明細書
【補正対象項目名】００６１
【補正方法】変更
【補正の内容】
【００６１】
（透過率）
実施例、比較例の各黒色顔料分散レジスト組成物（顔料濃度が３５質量％の時）をスピ
ンコーターにて膜厚１μｍとなるようにガラス基板上に塗布し、１００℃で３分間プレベ
ークした後、高圧水銀灯で露光し、更に２３０℃で３時間ポストベークを行い、ベタ部の
みで形成されたブラックレジストパターンを得た。得られた各ベタ部のブラックレジスト
パターンの３００〜１０００ｎｍの吸光度を分光光度計（ＵＶ−２０００ＰＣ）で測定し
た。つぎに塗膜をカッターナイフで削り吸光度測定点の膜厚を測定し、７５０ｎｍ、及び
９００ｎｍの実測吸光度を膜厚、顔料濃度で補正した。透過率は、補正吸光度から下記の
公式により算出した。
【数１】
2019081857.tif 000002
Ａ：吸光度
Τ：透過率
【手続補正７】
【補正対象書類名】明細書
【補正対象項目名】００６５
【補正方法】変更
【補正の内容】
【００６５】
＜濾過性＞
シリンジ下部に径３μｍのPTFE製フィルター（アドバンテック）をセットし、シリンジ
に60g程度黒色顔料分散組成物又は黒色顔料分散レジスト組成物を入れた後、送厚弁をシ
リンジ上部にセットする。その後、１分間静置し、黒色顔料分散組成物又は感光性着色組
成物が垂れてこないことを確認（フィルターのセットミス、破れをチェック）する。次い
で、０．１０MPaの圧力で窒素ガスを1秒送り、圧力によりフィルターを通った黒色顔料分
散組成物量又は黒色顔料分散レジスト組成物量を１０秒毎に記入し、６０秒までこれを行
う。表には、６０秒間で通った量を記載する。